(57)【要約】【課題】  正面発光となるマスターストロボのプリ発光から撮影までの間隔を短縮し、人物が被写体であった時のプリ発光による目つぶりを防止するカメラシステムを提供すること。【解決手段】  カメラに外付けされた、または内蔵されたマスターストロボ装置及び無線通信装置と、前記無線通信装置から離れた位置に配置された発光手段、無線通信手段を持つスレーブストロボ装置とを有しと、前記カメラから離れた位置に配置されたスレーブストロボ装置とを有し、前記カメラ装置またはマスターストロボからの電波無線通信により前記スレーブストロボ装置の制御を行うカメラシステムにおいて、前記カメラは測光手段を持ち、プリ発光による測光結果を用いてストロボの発光量を演算する演算手段を持ち、前記マスターストロボのプリ発光を含んだ発光グループによるプリ発光を、露光開始の前の所定時間内に行うことを特徴とした。【選択図】  図１
2013105021.tif 000002
【特許請求の範囲】
【請求項１】
カメラに外付けされた、または内蔵された発光手段（１９）を持つマスターストロボ装置及び無線通信手段（２２）を持つ無線通信装置と、
前記無線通信装置から離れた位置に配置された発光手段（１９）、無線通信手段（２２）を持つスレーブストロボ装置と、を有し、
前記カメラ装置またはマスターストロボからの電波無線通信により前記スレーブストロボ装置の制御を行うカメラシステムにおいて、
前記カメラは測光手段（８）を持ち、プリ発光による測光結果を用いてストロボの発光量を演算する演算手段（１２）を持ち、前記マスターストロボを含んだ発光グループによるプリ発光を、露光開始の前の所定時間内に行うことを特徴とするカメラシステム。
【請求項２】
上記したマスターストロボを含んだ発光グループによるプリ発光を発光グループのプリ発光の中で一番最後に行うことを特徴とする請求項１に記載のカメラシステム。
【請求項３】
上記したマスターストロボは独立した発光グループとして扱うことを特徴とする請求項１または請求項２に記載のカメラシステム。
【発明の詳細な説明】
【技術分野】
【０００１】
本発明は、カメラシステムに関し、特に、ストロボの多灯制御による撮影を行うカメラシステムに関するものである。
【背景技術】
【０００２】
現在、撮影において適正なストロボ発光を行うために一度ストロボを発光させて（以下プリ発光）測光データを取得し、ストロボの発光量を算出する調光方法もいくつか提案されている(例、特許文献１)。また、無線通信による多灯制御システムにおいて、これまではストロボが複数回微小発光することによる光パルス通信を用いていた。この光パルスを用いた通信では発光管の状態変化により発光タイミングが一定にならない問題があり、特許文献２のように発光間隔の補正を行ったりしていた。また、上記で述べたプリ発光を用いた調光制御においては、カメラと接続された光パルスの送信元となるマスターストロボの調光のためのプリ発光タイミングがずれることが考えられる。そのため、マスターストロボのプリ発光を光パルス通信の前、つまり一番初めに行い、そのあとに、スレーブストロボのプリ発光を行うといった処理を行っていた。
【０００３】
現在の無線通信システムとして、電波による通信が確立され、それにより様々な情報のやりとりが可能になった。例えばその一つとして各機器の充電情報を取得するといった技術が開示されている(特許文献３参照)。今後、この電波を用いた通信による無線多灯制御システムも考える必要がある。
【先行技術文献】
【特許文献】
【０００４】
【特許文献１】特開平０５−１２７２１５公報
【特許文献２】特開２０００−７８０８９号公報
【特許文献３】特開２０００−５６３８６号公報
【発明の概要】
【発明が解決しようとする課題】
【０００５】
上記で説明したプリ発光を用いた調光制御による無線多灯制御システムでは、カメラと接続されたマスターストロボの始めの発光と撮影までの間隔が長くなってしまう。マスターストロボの発光は被写体にとって正面発光となることがほとんどである。そのため、この間隔が長いと人物が被写体であった時に、初めの発光に反応して撮影時に目をつぶってしまうという問題がある。
【０００６】
図６を用いて説明を行う。
【０００７】
図６はレリーズ釦を押されてから撮影までの時間経過を図示したものである。
【０００８】
従来の無線多灯制御では、始めにカメラに接続されたマスターストロボのプリ発光を行い、スレーブストロボのプリ発光を行っていた。ここでは、スレーブの発光グループが２つであるとする。まず始めにマスターストロボの適正な発光量を演算するために、プリ発光を行い、プリ発光時の測光を行う。次にグループＡのスレーブストロボにプリ発光指示命令のための通信を行い、その後グループＡのスレーブストロボのプリ発光測光を行う。同様にグループＢのスレーブストロボにプリ発光指示命令のための通信を行い、その後グループＢのスレーブストロボのプリ発光測光を行う。このプリ発光測光の測光値を用いてそれぞれの発光量を決定し、本発光のための発光指示命令をすべてのスレーブストロボに送信し、本発光及び撮影を行う。
【０００９】
このような手順で撮影を行った際、マスターストロボのプリ発光から撮影までにある程度の間隔ができてしまう。そのため、人物の目つぶりが起こってしまうのである。目が開くまで撮影を待つことも考えられるが、それではレリーズタイムラグが非常に長くなってしまう。
【課題を解決するための手段】
【００１０】
上記目的を達成するために、本発明は、
カメラに外付けされた、または内蔵されたマスターストロボ装置及び無線通信装置と、
前記無線通信装置から離れた位置に配置された発光手段、無線通信手段を持つスレーブストロボ装置と、
前記カメラから離れた位置に配置されたスレーブストロボ装置と、を有し、
前記カメラ装置またはマスターストロボからの電波無線通信により前記スレーブストロボ装置の制御を行うカメラシステムにおいて、
前記カメラは測光手段を持ち、プリ発光による測光結果を用いてストロボの発光量を演算する演算手段を持ち、前記マスターストロボを含んだ発光グループによるプリ発光を、露光開始の前の所定時間内に行うことを特徴とする。
【発明の効果】
【００１１】
本発明によれば正面発光となるマスターストロボのプリ発光から撮影までの間隔を短くすることができ、人物が被写体であった時のプリ発光による目つぶりを防止するカメラシステムを提供することができる。
【図面の簡単な説明】
【００１２】
【図１】第一の実施形態における撮影時のタイミングを表す図
【図２】本発明第一の実施形態におけるカメラ本体の構成を示すブロック図
【図３】本発明第一の実施形態における内蔵された無線通信装置を持つストロボの構成を示すブロック図
【図４】第一の実施形態における撮影準備時のシーケンス図
【図５】第一の実施形態における撮影時のシーケンス図
【図６】従来の多灯制御を行った場合の撮影時のタイミングを表す図
【発明を実施するための形態】
【００１３】
以下に、本発明の好ましい実施の形態を、添付の図面に基づいて詳細に説明する。
【００１４】
［実施例１］
図２は、本発明の実施形態にかかる撮像装置であるカメラの構成を示すブロック図であり、本発明に関係するブロックが主に記載されている。
【００１５】
図２において、１は撮影レンズ、２は撮影レンズ１を駆動させて自動焦点制御を行うためのＡＦ（オートフォーカス）駆動部である。ＡＦ駆動部２は、例えばＤＣモータやステッピングモータによって構成され、後述するＣＰＵ１２の制御によって撮影レンズ１のフォーカスレンズ位置を変化させることにより撮影画面内の所望する領域のピントを合わせる。
【００１６】
３は撮影レンズ１を駆動させて焦点距離制御を行うためのズーム駆動部である。ズーム駆動部３は、例えばＤＣモータやステッピングモータによって構成され、後述するＣＰＵ１２の制御によって撮影レンズ１の変倍レンズ位置を変化させることにより撮影レンズ１の焦点距離を変化させる。
【００１７】
４は後述する撮像素子１０に入射する光量を調節する絞りであり、５は絞り４を駆動させる絞り駆動部である。絞り制御部５は後述するＣＰＵ１２によって算出された絞り駆動量に基づいて絞り４を駆動させて絞り値を変化させる。
【００１８】
６は撮影レンズ１から入射した光束をファインダ側と撮像素子側とに切替えるための主ミラーである。主ミラー６は常時はファインダ部へと光束を導くよう反射させるように配されているが、撮影が行われる場合には、後述する撮像素子へと光束を導くように上方に跳ね上がり光束中から待避する。
【００１９】
ファインダ部に入射した光束はペンタプリズム７に入射する。このペンタプリズム７に入射した光は内部で反射を繰り返し、測光センサー８に入射すると共に、ファインダ９に入射する。
【００２０】
測光手段としての測光センサー８では撮影レンズ１から入射する光束により被写体輝度を測光し、測光データとして読み出し、後述するストロボの発光量などを演算するＣＰＵ１２へと送られる。
【００２１】
１０は撮影レンズ１を通過した被写体像を結像して光電変換する撮像素子、１１は撮像素子１０より得られた電気信号を画像データとして後述するＣＰＵ１２に適したデータに変換して出力する撮像回路である。
【００２２】
１２はＣＰＵであり、測光センサー８から受け取った被写体輝度の測光データを用いて絞りやシャッター速度等の露出量を演算するとともにストロボによる発光がある際には、発光している時、発光していない時の測光データを用いてストロボの適正な発光量を求める演算手段ともなる。
【００２３】
また、後述する操作部１４からの出力に基づいて、レリーズ開始を判断して撮影のための機械制御や上記のような演算作業を行い、撮影された画像を様々な撮影データとともに１３の記録装置に記録する。１４は操作部材である。
【００２４】
操作部材１４は、ＣＰＵ１２にその状態を伝え、ＣＰＵ１２はその操作部材の変化に応じて各部をコントロールする。１５はスイッチ１（以後ＳＷ１）である。
【００２５】
１６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作を行ったり、測光動作を行う。
【００２６】
スイッチＳＷ１，ＳＷ２が共にオンの状態はレリーズボタンの全押し状態であり、画像を記録するためのレリーズボタンオン状態である。この状態で撮影が行われる。
【００２７】
１７は通信端子であり、接続された無線マスター送信装置や無線マスター送信装置を内蔵した後述するストロボ装置等との通信を行う。
【００２８】
図３は本発明の実施形態にかかわる無線通信装置を内蔵したストロボの構成例を示す概略図であり、本発明に関係するブロックが主に記載されている。また、スレーブストロボとしての概略図でもある。
【００２９】
１８は表示部／操作部を表す。操作部１８によってストロボ制御部２０に対して動作指示を行い、ストロボを制御する。１９はストロボの発光手段としての発光回路を表し、充電や発光制御など発光に関わる制御を行い、ストロボ制御部２０からの発光命令を表す信号を受信することで発光する。また、ストロボ制御部２０に対して充電完了を表す信号を送信する。２０は上記構成のストロボを制御するストロボ制御部を表す。２１はアクセサリーシュー通信端子を表す。アクセサリーシュー通信端子２１を介して前述した図２のカメラとの通信を行う。
【００３０】
２２は無線通信手段となるストロボに搭載されている無線通信部を表す。無線通信部２２はいくつかのパートから成り立っている。２２aはアンテナを表す。アンテナ２２aは無線通信の送受信を行い、通信相手から受信したデータを無線制御部２２ｂへ送信する。また、無線制御部２２ｂからデータを受け取り、通信相手へ送信する。２２ｃは発振回路を表し、発振回路２２ｃに接続された水晶発振子２２ｄから生成されるクロック信号の波形を整形し、整形したクロック信号を無線通信装置２２での各回路に出力し、同期をとる。
【００３１】
はじめに操作部材１４からの出力をもとにＳＷ１が押されたかＣＰＵ１２によって見張る。もしＳＷ１が押されれば、撮影準備の動作に行く。
【００３２】
図４を用いて撮影準備の動作を説明する。
【００３３】
撮影準備動作としてまずステップＳ１０１のオートフォーカス動作を行う。オートフォーカス動作はＡＦ駆動部２を用いて撮影レンズ１のフォーカスレンズ位置を変化させることにより撮影画面内の所望する領域のピントを合わせることでありＣＰＵ１２によって制御されている。
【００３４】
次にステップＳ１０２によって被写体輝度の測光を行う。撮影レンズ１から入射する光束は主ミラー６によってファインダ部に導かれる。その光束を用いてファインダ部にある測光センサー８で被写体輝度を測光し、通常時の測光データとして読み出す。
【００３５】
ステップＳ１０２で得られた測光データを用いて、現在の輝度にあった露出量をＣＰＵ１２で演算する（Ｓ１０３）。
【００３６】
またアクセサリーシュー通信端子１７になにかアクセサリーが付いている場合は、この撮影準備動作中にアクセサリーシュー通信端子１７を介してアクセサリーの情報を受信しておく(Ｓ１０４)。特にアクセサリーがストロボであった場合は、発光のモードやマスターストロボのプリ発光があるか、プリ発光のあるグループとないグループをここで受信しておく必要がある。
【００３７】
上記制御をＳＷ２が押されるまで、ＳＷ１が押されている間定期的に行う。
【００３８】
ＳＷ２が押されると撮影動作に入る。
【００３９】
図５を用いてストロボ発光を用いた撮影時の動作を説明する。
【００４０】
まず、先ほどステップＳ１０４で得たアクセサリーの情報をもとに電波通信を用いた多灯撮影であるかどうかを判断する（Ｓ２０１）。ステップＳ２０１にて電波通信を用いた多灯撮影であると判断された時には次の操作を行う。
【００４１】
まずステップＳ２０２にてプリ発光を行うグループがあるかどうかを見張るための変数Ｎを０で初期化する。次にステップＳ２０３にてＮ＝０、つまり第０グループのプリ発光を行うかを判断する。ここでの判断は先ほどステップＳ１０４で得たアクセサリーの情報を用いる。もし第０グループのプリ発光が行う必要があると判断された場合、ステップＳ２０４にてマスターストロボに第０グループのプリ発光のデータをアクセサリーシュー通信端子１７を介して送信する。
【００４２】
マスターストロボにプリ発光データを送信するとマスターストロボはスレーブストロボにプリ発光のデータを無線通信部２２を用いて送信するため、カメラ側では送信終了まで待つ（Ｓ２０５）。
【００４３】
スレーブストロボの発光準備ができれば第０グループのプリ発光を行う（Ｓ２０６）。ここでカメラ側はスレーブストロボの発光回路２２によるプリ発光に合わせて測光センサー８にて測光を行う。そしてステップＳ２０７にて測光センサー８より測光値を読み出し、ステップＳ２０８にてＣＰＵ１２を用いて本発光量を演算する。
【００４４】
本発光量を演算すると第０グループのプリ発光は終了するのでプリ発光を行うグループがあるかどうかを見張るための変数Ｎを更新して(Ｓ２０８)次の発光グループのプリ発光処理に移る。
【００４５】
Ｎにて発光グループのプリ発光処理を最大数まで見張ると次の処理に移る（Ｓ２０９）。
【００４６】
もしステップＳ２０１にて電波通信による多灯撮影でないと判断された時、スレーブストロボによるプリ発光はないので、ステップＳ２１０まで処理を進める。
【００４７】
電波通信によるスレーブストロボのプリ発光が終わった時、または電波通信によるスレーブストロボのプリ発光がなかった時は、カメラと接続されたマスターのプリ発光を行うための処理に移る。
【００４８】
先ほどステップＳ１０４で得たアクセサリーの情報をもとにマスターストロボによるプリ発光があるかどうかを判断する（Ｓ２１０）。もしマスターストロボによるプリ発光がある時はステップＳ２１１に移る。
【００４９】
マスターストロボのプリ発光のためにステップＳ２１１にてマスターストロボにアクセサリーシュー通信端子１７を介してプリ発光のためのデータを送る。マスターストロボはそのデータを元にプリ発光処理を行うので、タイミングを合わせて測光センサー８にて測光を行う（ステップＳ２１２）。プリ発光を行うとスレーブストロボのプリ発光処理同様にステップＳ２１３にて測光センサー８より測光値を読み出し、ステップＳ２１４にてＣＰＵ１２を用いて本発光量を演算する。
【００５０】
もしマスターストロボによるプリ発光がない場合はマスターストロボのプリ発光処理を行わずにステップＳ２１５に進む。
【００５１】
ここまでで、スレーブストロボ、マスターストロボのプリ発光処理が終了する。ここでＣＰＵ１２によりそれぞれのストロボの本発光量の演算が終了しているため、ステップＳ２１５にて本発光のための情報をアクセサリーシュー通信端子１７を介して送信する。ここで送信するデータは、撮影時の発光量だけではなく、前のステップＳ１０３で行った露出量演算の結果等も送信する。ここでカメラとしての撮影準備は完了するが、もし電波通信による多灯撮影である場合(Ｓ２１６)、マスターストロボからスレーブストロボへ無線通信部２２を用いて本発光の情報を送る必要があるのでカメラ側はその通信終了を待つ（Ｓ２１７）。
【００５２】
ここまででストロボの撮影準備が終了するため通信終了後に通常撮影同様の動作を行う。
【００５３】
図１は、本実施例でのレリーズまでのタイミングである。ここでは特に時間に関係するところに着目して説明する。
【００５４】
まずＳＷ２が押されるまでにステップＳ１０４にてマスターストロボから情報取得を行っておく。ここではマスターストロボと発光グループＡと発光グループＢがプリ発光による調光を行うとする。
【００５５】
まず、発光グループＡがプリ発光を行うため、ステップＳ２０５にてマスターストロボからスレーブストロボにプリ発光情報を送信する。次に、発光グループＡがプリ発光するタイミングで測光を行い測光値を取得する（ステップＳ２０６）。発光グループＢも同様に情報の送信とプリ発光を行う。
【００５６】
このように繰り返し、他にプリ発光を行う発光グループがなければマスターストロボのプリ発光に移る。マスターストロボがプリ発光する(Ｓ２１２)とプリ発光処理が終わりここまででそれぞれのストロボの発光量が決定するため、本発光のための情報をマスターストロボからスレーブストロボに送信するのを待って（Ｓ２１７）撮影動作に入る。
【００５７】
図６の課題時にはマスター発光のプリ発光から撮影までの時間が長くなってしまいるが、本実施例ではプリ発光の順番を変更することによってその時間が短縮されていることがわかる。これによって被写体が人物であった場合、カメラの方向を向いていた時にプリ発光に反応して目をつぶってしまう前に撮影ができるようになる。
【００５８】
本実施例では無線マスター送信装置が内蔵されたストロボを挙げたが、無線通信部をカード化して、ストロボにカードスロットを設けた着脱可能型タイプのものでもよい。
【００５９】
また、無線通信装置はカメラに内蔵されるものでもよい。また、無線通信装置がカメラ側に内蔵されており、発光部としてのストロボ装置は外付けのものとしてもよい。カメラに内蔵されたストロボをマスターストロボの発光（正面発光）とし、無線通信部を持った無線通信装置は外付けであってもよい。
【００６０】
本実施例では、電波通信による無線多灯制御を挙げたが、電波通信と光パルス通信の二つの通信形態をもったカメラシステムにおいては光パルス通信の場合はマスター発光を先におこない、電波通信の場合は後に行うとして切り替えても良い。
【００６１】
本実施例では、マスターストロボのプリ発光を一番最後に行ったが、露光開始の前の所定時間内であれば、マスターストロボのプリ発光の順番の前後は許容される。
【００６２】
本実施例では、マスターストロボのプリ発光とスレーブストロボのプリ発光を分けたが、マスターストロボはスレーブストロボの発光グループに含まれてもよい。その時、マスターストロボの発光を含んだ発光グループは必ず露光開始の前の所定時間内に行う。
【００６３】
本実施例では電波通信による無線多灯制御を挙げたが、有線による多灯制御等、光パルスのように光を伴う通信以外において、マスターストロボのプリ発光を最後にすることは、目つぶりの防止に効果があり、本発明に当てはまる。
【００６４】
以上、本発明の好ましい実施形態について説明したが、本発明はこれらの実施形態に限定されず、その要旨の範囲内で種々の変形及び変更が可能である。
【符号の説明】
【００６５】
１  撮影レンズ
２  ＡＦ（オートフォーカス）駆動部
３  ズーム駆動部
４  絞り
５  絞り駆動部
６  主ミラー
７  ペンタプリズム
８  測光センサー
９  ファインダ
１０  撮像素子
１１  撮像回路
１２  ＣＰＵ
１３  記録装置
１４  操作部材
１５  スイッチ１（ＳＷ１）
１６  スイッチ２（ＳＷ２）
１７  アクセサリーシュー信端子(カメラ側)
１８  表示部／操作部
１９  発光回路
２０  ストロボ制御部
２１  アクセサリーシュー通信端子（ストロボ側）
２２  無線通信部
２２a  アンテナ
２２ｂ  無線制御部
２２ｃ  発振回路
２２ｄ  水晶発振子
【図１】
2013105021.tif 000003
【図２】
2013105021.tif 000004
【図３】
2013105021.tif 000005
【図４】
2013105021.tif 000006
【図５】
2013105021.tif 000007
【図６】
2013105021.tif 000008